(57)【特許請求の範囲】
【請求項１】
記録媒体を指定する指定情報を入力する入力部と、
複数の記録媒体のうちから前記指定情報に相当する記録媒体を選択し、該選択した記録媒体に記録されている一連のデータを再生する再生機構と、
前記複数の記録媒体のそれぞれについての情報を更新可能に記憶するメモリと、
前記再生機構による再生が前記一連のデータの途中で停止された場合に、該データにおける再生の停止位置を示す停止位置情報と記録媒体を識別する媒体識別情報とを対応させて前記メモリに書込む書込み部と、
前記入力部から入力された前記指定情報に対応する前記媒体識別情報が前記メモリに書込まれているか否かを検出し、該指定情報に対応する媒体識別情報が該メモリに書込まれていれば、該媒体識別情報に対応して該メモリに書込まれている前記停止位置情報を前記再生機構に与え、該再生機構に該停止位置情報が示す位置からデータを再生させる読出し制御部と、
前記再生機構が前記選択した記録媒体の一連のデータを再生しているときになされた操作に応答し、該再生を該一連のデータの途中で停止し、かつ該記録媒体を次回再生するときに今回停止した位置から再生を開始することを指示する指示手段と、
前記メモリに書込まれている前記停止位置情報と媒体識別情報とを消去する消去手段とを備え、
前記書込み部は、前記指示手段の前記指示に応答して、前記停止位置情報と媒体識別情報とを対応させて前記メモリに書込み、
前記消去手段は、前記再生機構が前記記録媒体の一連のデータのすべてのデータの再生が完了したと判断したとき、該記録媒体について前記メモリに前記停止位置情報と媒体識別情報とが書込まれていれば、該停止位置情報と媒体識別情報とを消去することを特徴とする記録媒体再生装置。
【請求項２】
記録媒体を指定する指定情報を入力する入力部と、
複数の記録媒体のうちから前記指定情報に相当する記録媒体を選択し、該選択した記録媒体に記録されている一連のデータを再生する再生機構と、
前記複数の記録媒体のそれぞれについての情報を更新可能に記憶するメモリと、
前記再生機構による再生が前記一連のデータの途中で停止された場合に、該データにおける再生の停止位置を示す停止位置情報と記録媒体を識別する媒体識別情報とを対応させて前記メモリに書込む書込み部と、
前記入力部から入力された前記指定情報に対応する前記媒体識別情報が前記メモリに書込まれているか否かを検出し、該指定情報に対応する媒体識別情報が該メモリに書込まれていれば、該媒体識別情報に対応して該メモリに書込まれている前記停止位置情報を前記再生機構に与え、該再生機構に該停止位置情報が示す位置からデータを再生させる読出し制御部と、
前記メモリに書込まれている前記停止位置情報と媒体識別情報とを消去する不要情報消去手段とを備え、
前記複数の記録媒体は、それぞれ所定の搭載位置に搭載され、
前記書込み部は、前記停止位置情報と媒体識別情報とを前記メモリの記憶領域の前記記録媒体の搭載位置に対応する場所に書込み、
前記不要情報消去手段は、前記入力部からの指定情報に応答して前記再生機構が前記記録媒体を選択したときに該選択した記録媒体の媒体識別情報を取得し、該取得した媒体識別情報と前記メモリの記憶領域の該選択した記録媒体の搭載位置に対応する場所に書込まれている媒体識別情報とが不一致のときに、該メモリの記憶領域の該選択した記録媒体の搭載位置に対応する場所に書込まれている停止位置情報と媒体識別情報とを消去することを特徴とする記録媒体再生装置。
【請求項３】
記録媒体を示す指定情報を入力する入力部と、
複数の記録媒体のうちから前記指定情報に相当する記録媒体を選択し、該選択した記録媒体に記録されている一連のデータを再生する再生機構と、
メモリを有する情報処理機器に通信可能に接続された通信部と、
前記再生機構による再生が前記一連のデータの途中で停止された場合に、該データにおける再生の停止位置を示す停止位置情報と記録媒体を識別する媒体識別情報とを前記通信部から前記情報処理機器に送信し、該停止位置情報に該媒体識別情報を対応させて前記メモリに書込ませる書込み部と、
前記入力部から入力された前記指定情報を前記通信部から前記情報処理機器に送信し、該指定情報に対応する前記媒体識別情報が前記メモリに書込まれているか否かを検出し、該入力部から入力された指定情報に対応する媒体識別情報が該メモリに書込まれていれば、該媒体識別情報に対応して該メモリに書込まれている前記停止位置情報を、該通信部を介して受信して前記再生機構に与え、該再生機構に該停止位置情報に示す位置からデータを再生させる読出し制御部と、
前記再生機構が前記選択した記録媒体の一連のデータを再生しているときになされた操作に応答し、該再生を該一連のデータの途中で停止し、かつ該記録媒体を次回再生するときに今回停止した位置から再生を開始することを指示する指示手段と、
前記情報処理機器に指示を与えて前記メモリに書込まれている前記停止位置情報と媒体識別情報とを消去させる消去手段とを備え、
前記書込み部は、前記指示手段の前記指示に応答して、前記停止位置情報と媒体識別情報とを対応させて前記メモリに書込ませ、
前記消去手段は、前記再生機構が前記記録媒体の一連のデータのすべてのデータの再生が完了したと判断したとき、該記録媒体について前記メモリに前記停止位置情報と媒体識別情報とが書込まれていれば、該停止位置情報と媒体識別情報とを消去させることを特徴とする記録媒体再生装置。
【請求項４】
記録媒体を示す指定情報を入力する入力部と、
複数の記録媒体のうちから前記指定情報に相当する記録媒体を選択し、該選択した記録媒体に記録されている一連のデータを再生する再生機構と、
メモリを有する情報処理機器に通信可能に接続された通信部と、
前記再生機構による再生が前記一連のデータの途中で停止された場合に、該データにおける再生の停止位置を示す停止位置情報と記録媒体を識別する媒体識別情報とを前記通信部から前記情報処理機器に送信し、該停止位置情報に該媒体識別情報を対応させて前記メモリに書込ませる書込み部と、
前記入力部から入力された前記指定情報を前記通信部から前記情報処理機器に送信し、該指定情報に対応する前記媒体識別情報が前記メモリに書込まれているか否かを検出し、該入力部から入力された指定情報に対応する媒体識別情報が該メモリに書込まれていれば、該媒体識別情報に対応して該メモリに書込まれている前記停止位置情報を、該通信部を介して受信して前記再生機構に与え、該再生機構に該停止位置情報に示す位置からデータを再生させる読出し制御部と、
前記情報処理機器との通信により、前記メモリに書込まれている前記停止位置情報と媒体識別情報とを消去させる不要情報消去手段を備え、
前記複数の記録媒体は、それぞれ所定の搭載位置に搭載され、
前記書込み部は、前記停止位置情報と媒体識別情報とを前記メモリの記憶領域の前記記録媒体の搭載位置に対応する場所に書込ませ、
前記不要情報消去手段は、前記入力部からの指定情報に応答して前記再生機構が前記記録媒体を選択したときに該選択した記録媒体の媒体識別情報を取得し、該取得した媒体識別情報と前記メモリの記憶領域の該選択した記録媒体の搭載位置に対応する場所に書込まれている媒体識別情報とが不一致のときに、該メモリの記憶領域の該選択した記録媒体の搭載位置に対応する場所に書込まれている停止位置情報と媒体識別情報とを消去させることを特徴とする記録媒体再生装置。
【発明の詳細な説明】
【０００１】
【発明の属する技術分野】
本発明は、光ディスクを選択し、選択した光ディスクに格納された一連のデータを再生する光ディスクチェンジャ等の記録媒体再生装置及びプログラムに関する。
【０００２】
【従来の技術】
近年では、各種ニーズに応じて多くの記録媒体が開発され、例えばデータ量が多い動画像を記録する記録媒体としては、ＣＤ（Compact  Disc）やＤＶＤ（Digital Versatile Disc）が多く用いられている。特に、長編の動画像及び音声データを記録する場合には、高密度にデータを記録できるＤＶＤが主として用いられている。
ＤＶＤに記録されたデータを再生する再生装置には、多数のＤＶＤを搭載し、利用者から指定されたＤＶＤを選択して記録データを再生する光ディスクチェンジャがある。ＤＶＤに記録された一連の記録データを再生する場合には、長時間を要するので、利用者が一度に再生を行わないこともある。そのため、従来の光ディスクチェンジャでは、このような利用者の利便性を考慮し、次のようなレジューム再生を行う。
【０００３】
図１３は、従来の光ディスクチェンジャが行う再生方法を示す説明図である。ＤＶＤに記録されている一連のデータ（ｄａｔａ）１０を、最初の位置Ｓから最後の位置Ｌまで一度に再生せずに、一回目の再生１１，２回目の再生１２、…，Ｎ（Ｎは、正の整数）回目の再生１３の合計Ｎ回に再生を分けて行う場合がある。一回目の再生１１が終了した時刻ｔ１に、その再生１１でどこまでのデータ１０が再生されたかを示す停止位置情報を光ディスクチェンジャで記憶する。
【０００４】
２回目に再生１２を開始するときには、その記憶した停止位置情報に対応する位置から再生を行う。２回目の再生１２が終了した時ｔ２には、一回目及び２回目の再生１１，１２でどこまでのデータが再生されたかを示す停止位置情報を記憶する。３回目の再生を開始するときには、時刻ｔ２で記憶した停止位置情報が示す位置から再生を行う。以下、同様に再生が中断するごとに、停止位置情報を記憶し、再生を再開始するときには、その停止位置情報が示す位置から再生を開始する。このようにレジューム再生を行うことにより、無駄な再生を行わなくてもよくなる。
【０００５】
【発明が解決しようとする課題】
図１４は、従来のディスクが異なるときの再生方法の課題の説明図である。
光ディスクチェンジャは、光ディスクに記録されているデータのどこまでが再生されたかを示す停止位置情報を記憶するが、それは最後に再生が中断された光ディスクに関してのみである。ところが、現実には、利用者が再生中の光ディスクの再生を一旦中断し、他の光ディスクの再生を行い、それが終了したときに再び元の光ディスクの再生を行うことがある。
【０００６】
例えば図１４のように、一枚目の光ディスクの再生２１を時刻ｔ３で中断し、二枚目の光ディスクの再生２２と三枚目の光ディスクの再生２３とを行い、その後に再び一枚目の光ディスクの再生２４を行うことがある。
【０００７】
この場合、光ディスクチェンジャは、一枚目の光ディスクに関する停止位置情報を時刻ｔ３で記憶するが、この一枚目の光ディスクに関する停止位置情報は、二枚目の光ディスクの再生２２が終了した時刻ｔ４に、その二枚目の光ディスクに関する停止位置情報に更新される。さらに、二枚目の光ディスクに関する停止位置情報データは、三枚目の光ディスクの再生２３が終了した時刻ｔ５に、その三枚目の光ディスクに関する停止位置情報に更新される。
【０００８】
よって、再び一枚目の光ディスクの再生２４を始めるときには、この一枚目の光ディスクに関する停止位置情報は消失しており、利用者は、再生を開始する位置を探し出す必要があった。
【０００９】
図１５は、利用者が異なるときの課題を示す説明図である。
光ディスクチェンジャの利用者は、ひとりとは限らない。複数の利用者が光ディスクの再生を行うこともある。例えば、図１５のように、利用者ａから指定された光ディスクの再生２５を光ディスクチェンジャが途中まで行い、時刻ｔ６で中断し、利用者ｂから指定された光ディスクの再生２６と利用者ｃから指定された光ディスクの再生２７とを行い、その後に、再び一旦中断していた利用者ａから指定された光ディスクの再生２８を行うことがある。
【００１０】
この場合、光ディスクチェンジャは、利用者ａから指定された光ディスクに関する停止位置情報を時刻ｔ６で記憶するが、この光ディスクチェンジャに記憶された停止位置情報は、再生２６が終了した時刻ｔ７に、利用者ｂから指定された光ディスクに関する停止位置情報に更新される。その利用者ｂから指定された光ディスクに関する停止位置情報も、再生２７が終了した時刻ｔ８に、利用者ｃから指定された光ディスクに関する停止位置情報に更新される。
【００１１】
よって、再び利用者ａから指定された光ディスクの再生２８を始めるときには、この光ディスクに関する停止位置情報は消失しており、利用者は、再生を開始する位置を探し出し、そこから光ディスクチェンジャに再生を行わせる必要があった。
【００１２】
本発明は、以上のような現状を鑑みてなされたものであり、一旦再生が中断された記録媒体をレジューム再生するときに、再生再開場所を探す手間を省くことが可能な記録媒体再生装置を提供することを目的とする。
【００１３】
【課題を解決するための手段】
上記目的を達成するために、本発明の第１の観点に係る記録媒体再生装置は、記録媒体を指定する指定情報を入力する入力部と、複数の記録媒体のうちから前記指定情報に相当する記録媒体を選択し、該選択した記録媒体に記録されている一連のデータを再生する再生機構と、前記複数の記録媒体のそれぞれについての情報を更新可能に記憶するメモリと、前記再生機構による再生が前記一連のデータの途中で停止された場合に、該データにおける再生の停止位置を示す停止位置情報と記録媒体を識別する媒体識別情報とを対応させて前記メモリに書込む書込み部と、前記入力部から入力された前記指定情報に対応する前記媒体識別情報が前記メモリに書込まれているか否かを検出し、該指定情報に対応する媒体識別情報が該メモリに書込まれていれば、該媒体識別情報に対応して該メモリに書込まれている前記停止位置情報を前記再生機構に与え、該再生機構に該停止位置情報が示す位置からデータを再生させる読出し制御部と、前記再生機構が前記選択した記録媒体の一連のデータを再生しているときになされた操作に応答し、該再生を該一連のデータの途中で停止し、かつ該記録媒体を次回再生するときに今回停止した位置から再生を開始することを指示する指示手段と、前記メモリに書込まれている前記停止位置情報と媒体識別情報とを消去する消去手段とを備え、
前記書込み部は、前記指示手段の前記指示に応答して、前記停止位置情報と媒体識別情報とを対応させて前記メモリに書込み、前記消去手段は、前記再生機構が前記記録媒体の一連のデータのすべてのデータの再生が完了したと判断したとき、該記録媒体について前記メモリに前記停止位置情報と媒体識別情報とが書込まれていれば、該停止位置情報と媒体識別情報とを消去することを特徴とする。
【００１４】
上記目的を達成するために、本発明の第２の観点に係る記録媒体再生装置は、記録媒体を指定する指定情報を入力する入力部と、複数の記録媒体のうちから前記指定情報に相当する記録媒体を選択し、該選択した記録媒体に記録されている一連のデータを再生する再生機構と、前記複数の記録媒体のそれぞれについての情報を更新可能に記憶するメモリと、前記再生機構による再生が前記一連のデータの途中で停止された場合に、該データにおける再生の停止位置を示す停止位置情報と記録媒体を識別する媒体識別情報とを対応させて前記メモリに書込む書込み部と、前記入力部から入力された前記指定情報に対応する前記媒体識別情報が前記メモリに書込まれているか否かを検出し、該指定情報に対応する媒体識別情報が該メモリに書込まれていれば、該媒体識別情報に対応して該メモリに書込まれている前記停止位置情報を前記再生機構に与え、該再生機構に該停止位置情報が示す位置からデータを再生させる読出し制御部と、前記メモリに書込まれている前記停止位置情報と媒体識別情報とを消去する不要情報消去手段とを備え、
前記複数の記録媒体は、それぞれ所定の搭載位置に搭載され、前記書込み部は、前記停止位置情報と媒体識別情報とを前記メモリの記憶領域の前記記録媒体の搭載位置に対応する場所に書込み、前記不要情報消去手段は、前記入力部からの指定情報に応答して前記再生機構が前記記録媒体を選択したときに該選択した記録媒体の媒体識別情報を取得し、該取得した媒体識別情報と前記メモリの記憶領域の該選択した記録媒体の搭載位置に対応する場所に書込まれている媒体識別情報とが不一致のときに、該メモリの記憶領域の該選択した記録媒体の搭載位置に対応する場所に書込まれている停止位置情報と媒体識別情報とを消去することを特徴とする。
【００１５】
上記目的を達成するために、本発明の第３の観点に係る記録媒体再生装置は、記録媒体を示す指定情報を入力する入力部と、複数の記録媒体のうちから前記指定情報に相当する記録媒体を選択し、該選択した記録媒体に記録されている一連のデータを再生する再生機構と、メモリを有する情報処理機器に通信可能に接続された通信部と、前記再生機構による再生が前記一連のデータの途中で停止された場合に、該データにおける再生の停止位置を示す停止位置情報と記録媒体を識別する媒体識別情報とを前記通信部から前記情報処理機器に送信し、該停止位置情報に該媒体識別情報を対応させて前記メモリに書込ませる書込み部と、前記入力部から入力された前記指定情報を前記通信部から前記情報処理機器に送信し、該指定情報に対応する前記媒体識別情報が前記メモリに書込まれているか否かを検出し、該入力部から入力された指定情報に対応する媒体識別情報が該メモリに書込まれていれば、該媒体識別情報に対応して該メモリに書込まれている前記停止位置情報を、該通信部を介して受信して前記再生機構に与え、該再生機構に該停止位置情報に示す位置からデータを再生させる読出し制御部と、前記再生機構が前記選択した記録媒体の一連のデータを再生しているときになされた操作に応答し、該再生を該一連のデータの途中で停止し、かつ該記録媒体を次回再生するときに今回停止した位置から再生を開始することを指示する指示手段と、前記情報処理機器に指示を与えて前記メモリに書込まれている前記停止位置情報と媒体識別情報とを消去させる消去手段とを備え、
前記書込み部は、前記指示手段の前記指示に応答して、前記停止位置情報と媒体識別情報とを対応させて前記メモリに書込ませ、前記消去手段は、前記再生機構が前記記録媒体の一連のデータのすべてのデータの再生が完了したと判断したとき、該記録媒体について前記メモリに前記停止位置情報と媒体識別情報とが書込まれていれば、該停止位置情報と媒体識別情報とを消去させることを特徴とする。
【００１６】
上記目的を達成するために、本発明の第４の観点に係る記録媒体再生装置は、記録媒体を示す指定情報を入力する入力部と、複数の記録媒体のうちから前記指定情報に相当する記録媒体を選択し、該選択した記録媒体に記録されている一連のデータを再生する再生機構と、メモリを有する情報処理機器に通信可能に接続された通信部と、前記再生機構による再生が前記一連のデータの途中で停止された場合に、該データにおける再生の停止位置を示す停止位置情報と記録媒体を識別する媒体識別情報とを前記通信部から前記情報処理機器に送信し、該停止位置情報に該媒体識別情報を対応させて前記メモリに書込ませる書込み部と、前記入力部から入力された前記指定情報を前記通信部から前記情報処理機器に送信し、該指定情報に対応する前記媒体識別情報が前記メモリに書込まれているか否かを検出し、該入力部から入力された指定情報に対応する媒体識別情報が該メモリに書込まれていれば、該媒体識別情報に対応して該メモリに書込まれている前記停止位置情報を、該通信部を介して受信して前記再生機構に与え、該再生機構に該停止位置情報に示す位置からデータを再生させる読出し制御部と、前記情報処理機器との通信により、前記メモリに書込まれている前記停止位置情報と媒体識別情報とを消去させる不要情報消去手段を備え、
前記複数の記録媒体は、それぞれ所定の搭載位置に搭載され、前記書込み部は、前記停止位置情報と媒体識別情報とを前記メモリの記憶領域の前記記録媒体の搭載位置に対応する場所に書込ませ、前記不要情報消去手段は、前記入力部からの指定情報に応答して前記再生機構が前記記録媒体を選択したときに該選択した記録媒体の媒体識別情報を取得し、該取得した媒体識別情報と前記メモリの記憶領域の該選択した記録媒体の搭載位置に対応する場所に書込まれている媒体識別情報とが不一致のときに、該メモリの記憶領域の該選択した記録媒体の搭載位置に対応する場所に書込まれている停止位置情報と媒体識別情報とを消去させることを特徴とする。
【００１９】
【発明の実施の形態】
［第１の実施形態］
図１は、本発明の第１の実施形態を示す光ディスクチェンジャの構成図である。図２は、図１中のメモリの記憶領域を示す説明図である。
この光ディスクチェンジャは、記録媒体である複数枚のＤＶＤ３０１，３０２，…，３０Ｎ（Ｎは、２以上の整数）を搭載し、利用者から指定されたＤＶＤ３０ｎ（ｎは、１以上Ｎ以下の整数）を選択して再生する記録媒体再生装置である。この光ディスクチェンジャは、選択したＤＶＤ３０ｎの再生中に後述する特定の操作が行われて再生が中断されると、その停止した位置を示す停止位置情報Ｓ４１を記憶し、次にそのＤＶＤ３０ｎの再生を再開するときにはその停止位置情報Ｓ４１に対応する位置から再生を開始するレジューム再生を行う。
【００２０】
光ディスクチェンジャは、入力部３１と、入力部３１に接続された選択指示部３２と、再生機構３３と、出力部３４とを、備えている。
入力部３１には、指示を光ディスクチェンジャに入力するための複数のボタンやスイッチ類が設けられている。例えば、ＤＶＤ３０１〜３０Ｎの中からＤＶＤ３０ｎを指定するため操作するキーボタン、再生を指示するための再生開始ボタン、再生の停止を指示するための停止ボタン、電源をオン、オフする電源スイッチ等が、入力部３１に設けられている。ここでは、電源スイッチは、電源のオン、オフばかりでなく、レジューム再生を予定して、再生中のＤＶＤ３０ｎの再生を停止する際にも操作されるものとする。
【００２１】
選択指示部３２は、複数のＤＶＤ３０１〜３０Ｎから一枚のＤＶＤ３０ｎを選択するための選択信号Ｓ３２を生成する回路である。再生機構部３３は、選択信号Ｓ３２に基づきＤＶＤ３０ｎを選択してそれに記録されたデータを再生するものであり、搬送機構３３ａと再生部３３ｂとから構成されている。搬送機構３３ａは、指定されたＤＶＤ３０ｎを搭載位置から選択して再生部３３ｂに搬送する。再生部３３ｂには、再生されたデータを出力するディスプレイ等で構成された出力部３４が接続されている。
【００２２】
この光ディスクチェンジャは、さらに、メモリ３５と、書込み回路３６と、読出し回路３７と、アクセス制御部（制御部）３８とを、備えている。
メモリ３５は、書込み回路３６と読出し回路３７とに接続されている。書込み回路３６及び読出し回路３７は、アクセス制御部（制御部）３８に接続されている。
【００２３】
書込み回路３６は、アクセス制御部３８と相まって書込み部３６Ａを構成し、再生部３３ｂから与えらた情報をメモリ３５に書込む機能を持つ。読出し回路３７は、アクセス制御部３８と相まって読出し制御部３７Ａを構成し、メモリ３５から情報を読出して再生部３３ｂに与える機能を持つ。
【００２４】
メモリ３５は、図２に示すように、各ＤＶＤ３０１〜３０Ｎがそれぞれ搭載される搭載位置（スロットル）ごとに分割された複数の記憶領域３５ａを持っている。各記憶領域３５ａには、各ＤＶＤ３０１〜３０Ｎを識別する媒体識別情報としてのＴＯＣ（Table Of Contents）情報Ｓ４０と、各ＤＶＤ３０１〜３０Ｎの前回の再生で停止した位置を示す停止位置情報Ｓ４１とが、レジューム情報として対応づけられて記憶される。
【００２５】
なお、選択指示部３２、書込み回路３６、読出し回路３７及びアクセス制御回路３８は、個別回路ではなく、プログラムで動作制御されるＣＰＵ（Central Processing Unit）であってもよい。
【００２６】
次に、図１の光ディスクチェンジャの動作を説明する。
図３は、光ディスクチェンジャの基本動作を示すフローチャートである。図４は、図３中の停止処理の例を示すフローチャートである。図５は、図３中のレジューム再生処理の例を示すフローチャートである。
光ディスクチエンジャでは、図３のステップＳＴ１０〜ステップＳＴ６０を行うことにより、ＤＶＤ３０ｎに記録されたデータを再生すると共に、さらにステップＳＴ７０を行うことにより、レジューム再生を実現する。
【００２７】
利用者が光ディスクチェンジャを用いて、一枚のＤＶＤ３０ｎの再生を行おうとするときには、利用者が入力部３１の再生開始ボタンやキーボタンを操作して、再生の指示とＤＶＤ３０ｎを指定する指定情報Ｓ３１とを入力する。指定情報Ｓ３１は、再生を希望するＤＶＤ３０ｎの搭載位置のスロットルを示す情報である。
光ディスクチェンジャの入力部３１は、再生の指示及び指定情報Ｓ３１を選択指示部３２及びアクセス制御部３８へ与える。
【００２８】
ステップＳＴ１０において、選択指示部３２及びアクセス制御部３８は、入力部３１からの再生の指示及び指定情報Ｓ３１の入力を待っている。選択指示部３２は、再生の指示及び指定情報Ｓ３１の入力が行われて再生の指示があったと判断した（ステップＳＴ１０：ＹＥＳ）ときには、指定情報Ｓ３１に示されるＤＶＤ３０ｎを選択するための選択信号Ｓ３２を生成して搬送機構３３ａに与える。搬送機構３３ａは、選択信号Ｓ３２に基づき、利用者が指定したＤＶＤ３０ｎを複数枚のＤＶＤ３０１〜３０Ｎから選択し、再生部３３ｂでの再生が可能な位置に、その選択したＤＶＤ３０ｎを搬送する（ステップＳＴ２０）。
【００２９】
一方、アクセス制御部３８は読出し回路３７を制御し、メモリ３５から、指定情報Ｓ３１で指定された搭載位置に対応する記憶領域３５ａのデータを読出し、ＴＯＣ情報Ｓ４０が書込まれているか否かを判断する（ステップＳＴ３０）。なお、記憶領域３５ａに書込まれているＴＯＣ情報Ｓ４０は、後述するステップＳＴ６９で、レジューム情報の一部として書込まれたものである。アクセス制御部３８は、このＴＯＣ情報Ｓ４０がメモリ３５の記憶領域３５ａに書込まれていることを、ステップＳＴ７０の処理を行う際のトリガとしている。
即ち、記憶領域３５ａにＴＯＣ情報Ｓ４０が書込まれていない（ＮＯ）ときにはレジューム情報がないとして処理をステップＳＴ４０に進め、書込まれている（ＹＥＳ）ときには、レジューム情報ありとして処理をステップＳＴ７０に進める。
【００３０】
ＤＶＤ３０ｎのＴＯＣ情報Ｓ４０がメモリ３５に書込まれていないと判断したアクセス制御部３８は、そのことを再生部３３ｂに通知する。ＴＯＣ情報Ｓ４０がメモリ３５に書込まれていないことが知らされた再生部３３ｂは、搬送機構３３ａによって搬送されたＤＶＤ３０ｎについての再生開始位置を、ＤＶＤ３０ｎに記録された一連のデータの先頭に設定する（ステップＳＴ４０）。そして、再生部３３ｂは、そのＤＶＤ３０の一連のデータの先頭から再生を開始する（ステップＳＴ５０）。
【００３１】
ステップＳＴ５０の後には、ステップＳＴ６０の停止処理が行われる。ステップＳＴ６０の停止処理は、図４のステップＳＴ６１〜ステップＳＴ６９から構成されている。
ＤＶＤ３０ｎの再生が開始された後、ＤＶＤ３０ｎに記録されている一連のデータの再生が完了すると、ＤＶＤ３０ｎの再生が完了したことを示す信号が再生部３３ｂからアクセス制御部３８に与えられる。アクセス制御部３８は、ステップＳＴ６１で、ＤＶＤ３０ｎの再生が完了したことを示す信号が再生部３３ｂから与えられたか否かを判断している。
【００３２】
一方、利用者が、意図的にＤＶＤ３０ｎの再生を中断することもある。この意図的に再生を中断する際には、利用者が入力部３１のボタンやスイッチを操作し、再生の中断するための指示を入力する。アクセス制御部３８は、ステップＳＴ６２で、再生の中断するための指示が入力されたか否かを判断している。ステップＳＴ６１とステップＳＴ６２は、ＤＶＤ３０ｎの再生の完了或いはＤＶＤ３０ｎの再生の中断をアクセス制御部３８が検出するまで、継続的に繰り返される。
【００３３】
再生部３３ｂから与えられた信号により、ＤＶＤ３０ｎのすべてのデータの再生が完了したと判断した（ステップＳＴ６１：ＹＥＳ）とき、アクセス制御部３８は、読出し回路３７により、そのＤＶＤ３０ｎについて、対応する記憶領域３５ａにＴＯＣ情報Ｓ４０及び停止位置情報Ｓ４１が書込まれているか否か確認する。ＤＶＤ３０ｎのＴＯＣ情報Ｓ４０及び停止位置情報Ｓ４１がメモリ３５の記憶領域３５ａにあれば、書込み回路３６を用いて消去（リセット）する（ステップＳＴ６３）。
【００３４】
ステップＳＴ６３が終了した後のステップＳＴ６４及びステップＳＴ６５では、アクセス制御部３８が利用者の入力を待つ。入力部３１を介して、再生の指示とそれまで再生していたＤＶＤ３０ｎの代わりのＤＶＤ３０ｎ＋１を指定する指定情報Ｓ３１とが入力されたとき（ステップＳＴ６４：ＹＥＳ）には、アクセス制御部３８は、ＤＶＤ３０ｎ＋１の再生を行うものと判断し、処理を図３のステップＳＴ２０に処理を進める。入力部３１の電源スイッチが操作されて電源オフが指示されたとき（ステップＳＴ６５：ＹＥＳ）には、アクセス制御部３８は停止処理ステップＳＴ６０を終了する。
【００３５】
ＤＶＤ３０ｎの再生を途中で停止するために、利用者が入力部３１のボタンやスイッチを操作したと判断したとき（ステップＳＴ６２：ＹＥＳ）には、アクセス制御部３８は、その操作内容に基づいた判断を行う。（ステップＳＴ６６）。
【００３６】
入力部３１の停止ボタンが押下されたときには、アクセス制御部３８はレジューム再生を予定していない（ステップＳＴ６６：ＮＯ）ものと判断し、処理をステップＳＴ６４に進める。これに対し、入力部３１の電源スイッチが操作されたときには、アクセス制御回路３８は、レジューム再生を予定しているもの（ステップＳＴ６６：ＹＥＳ）と判断し、処理をステップＳＴ６７へ進める。
【００３７】
ステップＳＴ６７では、アクセス制御部３８は、それまで再生を行っていた再生対象ＤＶＤ３０ｎのＴＯＣ情報Ｓ４０を再生部３３ｂから取得し、さらに、ＤＶＤ３０ｎの記録データにおける再生の停止位置情報Ｓ４１を再生部３３ｂから取得する（ステップＳＴ６８）。この停止位置情報Ｓ４１は、ＤＶＤ３０ｎのトラックの先頭からの経過時間で示される。
【００３８】
ＴＯＣ情報Ｓ４０及び停止位置情報Ｓ４１を取得したアクセス制御回路３８は、これらの情報Ｓ４０，Ｓ４１をレジューム情報とし、再生を停止したＤＶＤ３０ｎの搭載位置に対応する記憶領域３５ａに、書込み回路３６を用いて書込む（ステップＳＴ６９）。
【００３９】
以上のような停止処理で、ステップＳＴ６６からステップＳＴ６９を行うことにより、レジューム再生が可能になる。
レジューム再生は、図３のステップＳＴ３０において、再生を行おうとするＤＶＤ３０ｎの搭載位置に対応する記憶領域３５ａに、ＴＯＣ情報Ｓ４０が書込まれていると判断した（ＹＥＳ）ときに、ステップＳＴ７０で行われる。
【００４０】
ステップＳＴ７０は、図５のステップＳＴ７１〜ステップＳＴ７７から構成されている。
ステップＳＴ７１では、アクセス制御部３８は、再生部３３ｂがこれから再生を行おうとする再生対象ＤＶＤ３０ｎのＴＯＣ情報を再生部３３ｂから取得する。そして、ステップＳＴ７２において、再生対象ＤＶＤ３０ｎの搭載位置に対応する記憶領域３５ａに書込まれているＴＯＣ情報Ｓ４０を読出し回路３７を用いて読出し、ステップＳＴ７１で取得したＴＯＣ情報と一致するか否かを判定する。
【００４１】
ステップＳＴ７２の判定で、ＴＯＣ情報が一致すると判定した（ＹＥＳ）ときには、アクセス制御回路３８は、読出し回路３７を制御し、メモリ３５からＴＯＣ情報Ｓ４０に対応して書込まれている停止位置情報Ｓ４１を読出す（ステップＳＴ７３）。さらに、アクセス制御回路３８は、読出し回路３７がメモリ３５から読み出した停止位置情報Ｓ４１を再生部３３ｂに与え、再生対象ＤＶＤ３０の再生の開始位置を、停止位置情報Ｓ４１で示される位置に設定させる（ステップＳＴ７４）。
【００４２】
一方、ステップＳＴ７２の判定で、一致しない（ＮＯ）と判定したときには、ＤＶＤの搭載位置が入れ替えられて現在の再生対象ＤＶＤが、利用者が指定しているＤＶＤ３０ｎとは異なることを示している。この場合には、再生対象ＤＶＤ３０の搭載位置に対応してメモリ３５に書込まれているＴＯＣ情報Ｓ４０及び停止位置情報Ｓ４１は以降不要になる。そのため、アクセス制御部３８は、それらの不要なＴＯＣ情報Ｓ４０及び停止位置情報Ｓ４１を書込み回路３６に消去させる（ステップＳＴ７５）。
ステップＳＴ７５の後のステップＳＴ７６において、アクセス制御回路３８は再生対象ＤＶＤ３０のデータの先頭を示す位置情報を再生部３３ｂに与え、再生対象ＤＶＤ３０の再生の開始位置を、一連のデータの先頭に設定する。
【００４３】
ステップＳＴ７４或いはステップＳＴ７６の後のステップＳＴ７７において、再生部３３ｂは、ステップＳＴ７４，ＳＴ７６で設定された再生開始位置から、データの再生を再開を開始する。
【００４４】
以上のような、この第１の実施形態によれば、ＤＶＤを変更して再生した後にでも、レジューム再生を行うことができる。
例えば、図１４において、一枚目のＤＶＤの再生が時刻ｔ３で中断されたときに、図４のステップＳＴ６９で停止位置情報Ｓ４１がメモリ５１に書込まれる。時刻ｔ４，ｔ５では、二枚目及び三枚目のＤＶＤの停止位置情報Ｓ４１がメモリ３５に書込まれるが、記憶領域３５ａがそれぞれ異なるので、各ＤＶＤの停止位置情報Ｓ４１が消去されず、レジューム再生がそれぞれ可能である。
【００４５】
また、光ディスクチェンジャを複数の人が共同で使用して、それぞれ別のＤＶＤの再生を行っても、レジューム再生が可能である。
【００４６】
［第２の実施形態］
図６は、本発明の第２の実施形態を示す光ディスクチェンジャの構成図であり、図１中の要素と共通する要素には、共通の符号が付されている。
この光ディスクチェンジャは、第１の実施形態のメモリ３５、書込み回路３６、読出し回路３７及びアクセス制御部３８を、図６のメモリ５１、書込み回路５２、読出し回路５３及びアクセス制御部（制御部）５４に置換したものであり、他の構成は、図１の光ディスクチェンジャと同様である。
【００４７】
図７は、図６中のメモリ５１の記憶内容を示す説明図である。
メモリ５１は、複数枚のＤＶＤ３０１，３０２，…，３０Ｎの搭載位置にそれぞれ対応した複数の記憶領域５１ａを持っている。各記憶領域５１ａには、ＴＯＣ情報Ｓ４０と停止位置情報Ｓ４１と利用者識別情報Ｓ４３とが、対応して任意数記憶される。
【００４８】
書込み回路５２は、アクセス制御部５４と相まって書込み部５２Ａを構成し、ＴＯＣ情報Ｓ４０と停止位置情報Ｓ４１と利用者識別情報Ｓ４３とをメモリ５１に書込む。読出し回路５３は、アクセス制御部５４と相まって読出し制御部５３Ａを構成し、ＴＯＣ情報Ｓ４０と利用者識別情報Ｓ４３とを参照して停止位置情報Ｓ４１を読み出す。
【００４９】
次に、この光ディスクチェンジャの動作を説明する。
図８は、光ディスクチェンジャの基本動作を示すフローチャートである。図９は、図８中の停止処理の詳細を示すフローチャートである。図１０は、図８中のレジューム再生処理の詳細を示すフローチャートである。
この光ディスクチエンジャでは、図８のステップＳＴ８０〜ステップＳＴ１３０を行うことにより、利用者が指定したＤＶＤ３０ｎに記録された記録データを再生すると共に、さらにステップＳＴ１４０を行うことにより、レジューム再生を実現する。
【００５０】
利用者が光ディスクチェンジャを用いてＤＶＤ３０ｎの一連のデータを再生しようとするときには、利用者が入力部３１のキーボタン及び再生開始ボタンを操作して、再生の指示と、利用者を識別するための利用者識別情報Ｓ４３と、再生しようとするＤＶＤ３０ｎを指定する指定情報Ｓ３１とを入力する。入力部３１は、再生の指示及び指定情報Ｓ３１を選択指示部３２へ与え、再生の指示、指定情報Ｓ３１及び利用者識別情報Ｓ４３をアクセス制御部５４にへ与える。アクセス制御部５４は、利用者識別情報Ｓ４３を保持する。
【００５１】
ステップＳＴ８０において、選択指示部３２は、入力部３１からの再生の指示及び指定情報Ｓ３１の入力を待っている。再生を指示及び指定情報Ｓ３１の入力が行われて、再生の指示があったと判断した（ステップＳＴ８０：ＹＥＳ）ときには、指定情報Ｓ３１に示されるＤＶＤ３０ｎを搬送機構３３ａに選択させるための選択信号Ｓ３２を生成して搬送機構３３ａに与える。搬送機構３３ａは、選択信号Ｓ３２に基づき、利用者が指定したＤＶＤ３０ｎを選択し、再生部３３ｂでの再生が可能な位置に搬送する（ステップＳＴ９０）。
【００５２】
一方、アクセス制御部５４は、読出し回路５３を制御し、指定情報Ｓ３１で指定されたＤＶＤ３０ｎの搭載位置に対応する記憶領域５１ａのデータを読出し、保持している利用者識別情報Ｓ４３と同じ利用者識別情報Ｓ４３とＤＶＤ３０ｎのＴＯＣ情報Ｓ４０とが組になって書込まれているか否かを判断する（ステップＳＴ１００）。これらの利用者識別情報Ｓ４３及びＴＯＣ情報Ｓ４０は、後述するステップＳＴ１３９で書込まれたものである。
【００５３】
アクセス制御部５４は、ステップＳＴ１００の判断で、書込まれていないと判断した（ＮＯ）ときには、ＤＶＤ３０ｎのＴＯＣ情報Ｓ４０とこれから再生を行おうとする利用者の利用者識別情報Ｓ４３とが組になってメモリ５１に書込まれていないことを再生部３３ｂに通知する。再生部３３ｂは、搬送機構３３ａから搬送された再生対象ＤＶＤ３０ｎについての再生開始位置を、一連のデータの先頭に設定する（ステップＳＴ１１０）。そして、再生部３３ｂは、そのＤＶＤ３０ｎの一連のデータの先頭から再生を再生する（ステップＳＴ１２０）。
【００５４】
ステップＳＴ１２０の後には、ステップＳＴ１３０の停止処理が行われる。ステップＳＴ１３０の停止処理は、図９のステップＳＴ１３１〜ＳＴ１３９から構成されている。
ＤＶＤ３０ｎの再生が開始された後、ＤＶＤ３０ｎに記録されている一連のデータの再生が完了すると、ＤＶＤ３０ｎの再生が完了したことを示す信号が再生部３３ｂからアクセス制御部５４に与えられる。アクセス制御部５４は、ステップＳＴ１３１で、再生部３３ｂから与えられる信号により、ＤＶＤ３０ｎのデータがすべて再生されたか否かを判断している。
【００５５】
一方、利用者が、意図的にＤＶＤ３０ｎの再生を中断することもある。この意図的に再生を中断する際には、利用者が入力部３１のボタンやスイッチを操作し、再生の中断するための指示を入力する。アクセス制御部５４は、ステップＳＴ１３２で、再生を中断するための指示が入力されたか否かを判断している。ステップＳＴ１３１とステップＳＴ１３２は、ＤＶＤ３０ｎの再生の完了或いはＤＶＤ３０ｎの再生の中断をアクセス制御部５４が検出するまで、継続的に繰り返される。
【００５６】
再生部３３ｂから与えられた信号により、ＤＶＤ３０ｎのすべてのデータの再生が完了したと判断した（ステップＳＴ１３１：ＹＥＳ）とき、アクセス制御部５４は、再生部３３ｂからＤＶＤ３０ｎのＴＯＣ情報を取得する。アクセス制御部５４は、読出し回路５３を制御し、再生部３３ｂから取得したＴＯＣ情報及び保持している利用者識別情報の組と同じＴＯＣ情報Ｓ４０及び利用者識別情報Ｓ４３の組が、ＤＶＤ３０ｎに対応する記憶領域３５ａに書込まれているか否かを確認する。確認結果が、書込まれているときには、アクセス制御部５４は、書込み回路５２を制御し、ＤＶＤ３０ｎに対応する記憶領域３５ａに書込まれていたそのＴＯＣ情報Ｓ４０及び利用者識別情報Ｓ４３と、これらに対応して書込まれていた停止位置情報Ｓ４１とを消去（リセット）する（ステップＳＴ１３３）。
【００５７】
ステップＳＴ１３３が終了した後のステップＳＴ１３４及びステップＳＴ１３５では、アクセス制御部５４が利用者の入力を待つ。入力部３１を介して、再生の指示とそれまで再生していたＤＶＤ３０ｎの代わりのＤＶＤ３０ｎ＋１を指定する指定情報Ｓ３１とが入力されたとき（ステップＳＴ１３４：ＹＥＳ）には、アクセス制御部５４は、ＤＶＤ３０ｎ＋１の再生を行うものと判断し、処理を図８のステップＳＴ９０に処理を進める。入力部３１の電源スイッチが操作されて電源オフが指示されたとき（ステップＳＴ１３５：ＹＥＳ）には、アクセス制御部５４は停止処理ステップＳＴ１３０を終了する。
【００５８】
ＤＶＤ３０ｎの再生を途中で停止するために、利用者が入力部３１のボタンやスイッチを操作したと判断したとき（ステップＳＴ１３２：ＹＥＳ）には、アクセス制御部５４は、その操作内容に基づいた判断を行う。（ステップＳＴ１３６）。
入力部３１の停止ボタンが押下されたときには、アクセス制御部５４は、レジューム再生を予定していない（ステップＳＴ１３６：ＮＯ）ものと判断し、処理をステップＳＴ１３４に進める。これに対し、入力部３１の電源スイッチが操作されたときには、アクセス制御回路３８は、レジューム再生を予定しているもの（ステップＳＴ１３６：ＹＥＳ）と判断し、処理をステップＳＴ１３７へ進める。
【００５９】
ステップＳＴ１３７では、アクセス制御部５４は、それまで再生を行っていたＤＶＤ３０ｎのＴＯＣ情報Ｓ４０を再生部３３ｂから取得し、さらに、ＤＶＤ３０ｎの記録データにおける再生の停止位置情報Ｓ４１を再生部３３ｂから取得する（ステップＳＴ１３８）。この停止位置情報Ｓ４１は、ＤＶＤ３０ｎのトラックの先頭からの経過時間で示される。
【００６０】
ＴＯＣ情報Ｓ４０及び停止位置情報Ｓ４１を取得したアクセス制御回路５４は、保持している利用者識別情報Ｓ４３を情報Ｓ４０，Ｓ４１に加えてレジューム情報とし、再生を停止したＤＶＤ３０ｎの搭載位置に対応する記憶領域３５ａに、書込み回路５２を用いて書込む（ステップＳＴ１３９）。
【００６１】
以上のような停止処理で、ステップＳＴ１３７からステップＳＴ１３９を行うことにより、レジューム再生が可能になる。
レジューム再生は、図８のステップＳＴ１００において、アクセス制御回路５４が、再生を行おうとするＤＶＤ３０ｎの搭載位置に対応する記憶領域５１ａに、ＴＯＣ情報Ｓ４０及び利用者識別情報Ｓ４３が書込まれていると判断した（ＹＥＳ）ときに、ステップＳＴ１４０で行われる。
【００６２】
ステップＳＴ１４０は、図１０のステップＳＴ１４１〜ステップＳＴ１４８から構成されている。
ステップＳＴ１４１では、アクセス制御部５４は、再生部３３ｂがこれから再生を行おうとする再生対象ＤＶＤ３０ｎのＴＯＣ情報Ｓ４０をその再生部３３ｂから取得する。ステップＳＴ１４２において、アクセス制御部５４は、読出し回路５３を用い、再生対象ＤＶＤ３０ｎの搭載位置に対応する記憶領域５１ａに書込まれているＴＯＣ情報Ｓ４０を読出し、ステップＳＴ１４１で取得したＴＯＣ情報と一致するか否かを判定する。
【００６３】
ステップＳＴ１４２の判定で、ＴＯＣ情報が一致する（ＹＥＳ）ときには、アクセス制御部５４は、保持している利用者識別情報Ｓ４３とＤＶＤ３０ｎの搭載位置に対応する記憶領域５１ａに書込まれている利用者識別情報Ｓ４３とが一致するレジューム情報を、読出し回路５３を用いてメモリ５１から読出す（ステップＳＴ１４３）。
【００６４】
アクセス制御部５４は、ステップＳＴ１４３で読出したレジューム情報から停止位置情報Ｓ４１を読み出す（ステップＳＴ１４４）。アクセス制御部５４は、ステップＳＴ１４４で読出した停止位置情報Ｓ４１を再生部３３ｂに与え、ＤＶＤ３０ｎの再生開始位置をその停止位置情報Ｓ４１に対応する位置に設定させる（ステップＳＴ１４５）。
【００６５】
一方、ステップＳＴ１４２の判定で、メモリ５１の記憶領域５１ａに書込まれているＴＯＣ情報Ｓ４０とステップＳＴ１４１で取得したＴＯＣ情報とが一致しない（ＮＯ）ときには、ＤＶＤ３０ｎの搭載位置が入れ替えられ、現在の再生対象ＤＶＤが、利用者が指定しているＤＶＤ３０ｎとは異なることを示している。この場合には、再生対象ＤＶＤの搭載位置に対応してメモリ５１に書込まれているＴＯＣ情報Ｓ４０、利用者識別情報Ｓ４３及び停止位置情報Ｓ４１が以降不要になる。そのため、アクセス制御部５４は、ステップＳＴ１４６において、それらの不要なＴＯＣ情報Ｓ４０、利用者識別情報Ｓ４３及び停止位置情報Ｓ４１を、書込み回路５２に消去させる。そして、ステップＳＴ１４７において、アクセス制御部５４は、再生部３３ｂに信号を送り、再生部３３ｂは、再生対象ＤＶＤ３０の再生開始位置を記録データの先頭に設定する。
【００６６】
ステップＳＴ１４５或いはステップＳＴ１４７の後のステップＳＴ１４８において、再生部３３ｂは、設定された再生開始位置からＤＶＤ３０の再生を開始する。
以上のような、この第２の実施形態によれば、複数の利用者が同じＤＶＤ３０ｎについてレジューム再生を予定して再生を停止したときにも、レジューム再生を行うことができる。
【００６７】
例えば、図１５の再生２５が、利用者ａが指定した図７のＮｏ１スロットルのディスクＡの再生であり、図１５の再生２６も、利用者ｂが指定した図７のＮｏ１スロットルのディスクＡの再生であったとする。利用者ａがレジューム再生を予定して時刻ｔ６で再生を停止すると、ディスクＡのＴＯＣ情報Ｓ４０と利用者ａの利用者識別情報Ｓ４３と停止位置情報Ｓ４１とが、ステップＳＴ１３９でメモリ５１ａに書込まれる。同様に、利用者ｂがレジューム再生を予定して時刻ｔ７で再生を停止すると、ディスクＡのＴＯＣ情報Ｓ４０と利用者ｂの利用者識別情報Ｓ４３と停止位置情報Ｓ４１とが、ステップＳＴ１３９でメモリ５１ａに書込まれる。
【００６８】
ここで、利用者ａと利用者ｂが指定したディスクＡは、一致するのでＴＯＣ情報Ｓ４０は一致するが、利用者識別情報Ｓ４３が異なる。そのため、時刻ｔ６に書込まれたレジューム情報のディスクＡのＴＯＣ情報Ｓ４０と利用者ａの利用者識別情報Ｓ４３と停止位置情報Ｓ４１とが、消去されない。よって、時刻ｔ８で、利用者ａがＮｏ１スロットルのディスクＡを指定して、再生の指示を入力すると、ディスクＡのレジューム再生が行われる。
【００６９】
［第３の実施形態］
図１１は、本発明の第３の実施形態を示す光ディスクチエンジャ及びパーソナルコンピュータを示す接続図である。図１２は、図１１中の光ディスクチェンジャの構成図である。
前述の第１及び第２の実施形態では、光ディスクチェンジャ内のメモリ３５，５１にレジューム情報を書込んでいたが、外部のメモリを使用することも可能である。
【００７０】
図１１に示す光ディスクチエンジャ１００には、パーソナルコンピュータ２００が接続されている。パーソナルコンピュータ２００には、図示しないメモリと、そのメモリのアクセスを制御する制御部とが、組込まれている。光ディスクチェンジャ１００は、パーソナルコンピュータ２００中のメモリを使用する。
【００７１】
図１２に示すように、この光ディスクチェンジャ１００には、パーソナルコンピュータ２００に送受信可能な通信部６０が設けられている。通信部６０が、メモリ５１の代わりに、書込み回路５２及び読出し回路５３に接続され、他の構成は、第２の実施形態と同様になっている。
【００７２】
パーソナルコンピュータ２００には、光ディスクチエンジャ１００と整合性のあるアプリケーションソフトウエアがインストールされ、書込み回路５２及び読出し回路５３が、パーソナルコンピュータ２００のメモリにアクセスできるようになっている。また、パーソナルコンピュータ２００は、光ディスクチェンジャ１００に対して従属的な操作（スレーブ操作）を行えるようにしてもよい。
【００７３】
この光ディスクチェンジャ１００では、書込み回路５２及び読出し回路５３が通信部６０を介してレジューム情報をパーソナルコンピュータ２００内の制御部に送受信し、制御部にメモリにアクセスさせる。この他の光ディスクチェンジャの動作は、第２の実施形態と同様である。
【００７４】
以上のような本実施形態の光ディスクチェンジャでは、通信部６０を設け、外部のパーソナルコンピュータ２００のメモリにレジューム情報を格納するので、第２の実施形態と同様の作用効果を奏するとともに、光ディスクチェンジャ１００に大きな容量のメモリ５１を持つ必要がなくなる。
【００７５】
なお、本発明は、上記実施形態に限定されず、種々の変形が可能である。その変形例としては、次のようなものがある。
（１）  第１〜第３の実施形態の光ディスクチェンジャは、記録媒体としてＤＶＤを複数枚搭載し、これらに記録された記録データを再生するが、他の記録媒体のＣＤやフレキシブルディスク等のディスクに記録された記録データ、さらには、テープ状の記録媒体に記録された記録データを再生するチェンジャにも本発明は適用できる。
【００７６】
（２）  第１の実施形態の光ディスクチェンジャのメモリ３５の位置に、図１２の通信部６０を配置してもよい。このようにすると、第３の実施形態と同様に、パーソナルコンピュータ２００のメモリにレジューム情報をアクセスすることが可能になる。よって、第３の実施形態と同様に、光ディスクチェンジャ１００に大きな容量のメモリ５１を持つ必要がなくなる。
【００７７】
（３）  第１〜第３は、ＤＶＤごとに、記録されている記録データを一括して再生する場合を説明したが、さらに、各ＤＶＤ３０に複数の一連の記録データが例えばファイル単位で記録してある場合には、メモリ３５，５１にファイル単位でレジューム情報を書き込めるようにしておけば、ファイル単位のレジューム再生が可能になる。
（４）  入力部３１のボタンやスイッチ類は、光ディスクチェンジャの規模や機能に応じて設けられるものであり、第１及び第２の実施形態に限定されない。例えば、レジューム再生を予定してＤＶＤ３０ｎの再生を中断するために、専用のボタンを設けてもよい。
【００７８】
【発明の効果】
以上詳細に説明したように、本発明によれば、一旦再生が中断された記録媒体をレジューム再生するときに、再生再開場所を探す手間を省くことが可能な記録媒体再生装置が実現できる。
【図面の簡単な説明】
【図１】本発明の第１の実施形態を示す光ディスクチェンジャの構成図である。
【図２】図１中のメモリの記憶領域を示す説明図である。
【図３】光ディスクチェンジャの動作を示すフローチャートである。
【図４】図３中の停止処理の詳細を示すフローチャートである。
【図５】図３中のレジューム再生処理の詳細を示すフローチャートである。
【図６】本発明の第２の実施形態を示す光ディスクチェンジャの構成図である。
【図７】図６中のメモリ５１の記憶内容を示す説明図である。
【図８】光ディスクチェンジャの動作を示すフローチャートである。
【図９】図８中の停止処理の詳細を示すフローチャートである。
【図１０】図８中のレジューム再生処理の詳細を示すフローチャートである。
【図１１】本発明の第３の実施形態を示す光ディスクチエンジャ及びパーソナルコンピュータを示す接続図である。
【図１２】図１１中の光ディスクチェンジャの構成図である。
【図１３】従来の光ディスクチェンジャが行う再生方法を示す説明図である
【図１４】従来のディスクが異なるときの再生方法の課題の説明図である。
【図１５】利用者が異なるときの課題を示す説明図である。
【符号の説明】
３０              ＤＶＤ
３１              入力部
３２              選択指示部
３３ａ            搬送機構
３３ｂ            再生部
３５，５１        メモリ
３６，５２        書込み回路
３７，５３        読出し回路
３６Ａ，５２Ａ    書込み部
３７Ａ，５３Ａ    読出し部
３８，５４        アクセス制御部
２００            情報処理機器としてのパーソナルコンピュータ
【図１】
0003999483.tif 000002
【図２】
0003999483.tif 000003
【図３】
0003999483.tif 000004
【図４】
0003999483.tif 000005
【図５】
0003999483.tif 000006
【図６】
0003999483.tif 000007
【図７】
0003999483.tif 000008
【図８】
0003999483.tif 000009
【図９】
0003999483.tif 000010
【図１０】
0003999483.tif 000011
【図１１】
0003999483.tif 000012
【図１２】
0003999483.tif 000013
【図１３】
0003999483.tif 000014
【図１４】
0003999483.tif 000015
【図１５】
0003999483.tif 000016